(57)【要約】【課題】本発明は、金型廃却時に金型情報と固定資産情報とを照合する必要がなく、金型廃却作業をミス無く簡便に行うことができる金型連係システムおよび金型連係方法を提供することを課題とする。【解決手段】金型連係情報記憶部１１に登録される金型連係情報は、金型情報と固定資産情報とが連係された情報であり、金型情報は、管理番号をキー項目とし、部品番号、口座番号、保管メーカおよび状況区分を少なくとも含む情報であり、固定資産情報は、固定資産番号をキー項目とし、固定資産税の納付に必要な情報を少なくとも含む情報である。固定資産マスターメンテナンス処理部１３は、金型連係情報記憶部１１への新たな金型連係情報の登録、金型連係情報記憶部１１に登録されている金型連係情報の修正、および金型連係情報記憶部１１に登録されている金型連係情報の抹消に伴う固定資産の変化を固定資産マスター５に反映させる。【選択図】        図１
2004213135.tif 000002
【特許請求の範囲】
【請求項１】
金型の金型情報を管理する金型連係システムであって、
前記金型情報と前記金型の固定資産としての情報を示す固定資産情報とを連係させた金型連係情報を登録する金型連係情報記憶手段と、
該金型連係情報記憶手段への新たな前記金型連係情報の登録、前記金型連係情報記憶手段に登録されている前記金型連係情報の一部又は全ての修正、および前記金型連係情報記憶手段に登録されている前記金型連係情報の一部又は全ての抹消に伴う固定資産の変化を固定資産マスターに反映させる固定資産マスターメンテナンス処理手段を具備することを特徴とする金型連係システム。
【請求項２】
前記金型連係情報記憶手段に登録されている前記金型連係情報の前記金型情報には、前記金型によって製造される部品が用いられている補修部品を示す口座番号および該口座を構成する部品の１又は複数の金型管理番号が含まれており、
前記金型連係情報記憶手段を前記口座番号で検索し、前記口座番号で関連づけられる前記金型連係情報を掲載した金型関連リストを作成する金型連係情報管理手段を具備することを特徴とする請求項１記載の金型連係システム。
【請求項３】
前記金型連係情報管理手段は、前記補修部品の需要予測情報が管理されている需要予測データベースと接続されており、前記金型関連リストに掲載される前記金型連係情報に含まれている全ての口座番号で示される前記補修部品の需要予測を前記需要予測データベースから取得させ、取得された需要予測を前記金型関連リストに掲載させることを特徴とする請求項２記載の金型連係システム。
【請求項４】
金型の金型情報を管理する金型連係方法であって、
前記金型情報と前記金型の固定資産としての情報を示す固定資産情報とを連係した金型連係情報を登録し、
新たな前記金型連係情報の登録、登録している前記金型連係情報の一部又は全ての修正、および登録している前記金型連係情報の一部又は全ての抹消に伴う固定資産の変化を固定資産マスターに反映することを特徴とする金型連係方法。
【請求項５】
登録している前記金型連係情報の前記金型情報は、前記金型によって製造される部品が用いられている補修部品を示す口座番号および該口座を構成する部品の１又は複数の金型管理番号を含み、
登録している前記金型連係情報を前記口座番号で検索し、前記口座番号で関連づけられる前記金型連係情報を掲載した金型関連リストを作成することを特徴とする請求項４記載の金型連係方法。
【請求項６】
前記補修部品の需要予測情報が管理されている需要予測データベースと接続しておき、
該需要予測データベースから前記金型関連リストに掲載される前記金型連係情報に含まれている全ての口座番号で示される前記補修部品の需要予測を前記需要予測データベースから取得し、
取得した需要予測を前記金型関連リストに掲載することを特徴とする請求項５記載の金型連係方法。
【発明の詳細な説明】
【０００１】
【発明の属する技術分野】
本発明は、金型情報を管理する金型連係システムおよび金型連係方法に関し、特に金型情報に固定資産情報を連係させて管理する金型連係システムおよび金型連係方法に関する。
【０００２】
【従来の技術】
従来、自動車のモデルチェンジがある度に、ブランドメーカの工場で生産に使っていた旧モデルの金型（例えばドアー・ボンネット等のプレス用金型、バンパー等の樹脂成形用金型）は、ブランドメーカの補修部品部門で引取り、旧型補修部品加工専門メーカに委託している。旧型補修部品加工専門メーカに委託する金型には、固定資産になるものもあるため、金型情報と固定資産情報とを管理する必要があり、金型情報は、金型管理マスターで管理され、固定資産情報は、固定資産マスターで管理され、金型情報と固定資産情報とは、異なる２つのデータベースで別々に管理されている。また、旧型補修部品加工専門メーカに委託された金型の管理は、ブランドメーカの補修部品部門で行われている。
【０００３】
なお、固定資産を管理する固定資産管理システムとしては、固定資産群を階層別にコードで分類し、各階層間を系統ごとにリンク付けすると共に、最下層の各固定資産に耐用年数を対応付けて登録した固定資産の耐用年数データベースと、特定の固定資産を登録した固定資産データベースと、入力手段と、入力手段により入力された情報に基づき、耐用年数データベースを検索する耐用年数検索手段と、入力手段より入力された情報に基づき、固定資産データベースを検索する固定資産検索手段と、前記耐用年数検索手段または固定資産検索手段により検索された結果を出力する出力手段とを備える固定資産管理システムが提案されている（例えば、特許文献１参照）。
【０００４】
【特許文献１】
特開２００２−３１８８９８号公報
【０００５】
【発明が解決しようとする課題】
しかしながら、従来技術では、金型廃却時に金型管理マスターと固定資産マスターの両方から必要な金型情報と固定資産情報とをそれぞれ取り出して、金型情報と固定資産情報とを照合する必要があり、作業の遅れおよび工数がかかると共に、人手による照合を行っているために、読み間違い等の人為的ミスが発生してしまうという問題点があった。
【０００６】
本発明は斯かる問題点を鑑みてなされたものであり、その目的とするところは、金型廃却時に金型情報と固定資産情報とを照合する必要がなく、金型廃却作業をミス無く簡便に行うことができる金型連係システムおよび金型連係方法を提供する点にある。
【０００７】
【課題を解決するための手段】
本発明は上記課題を解決すべく、以下に掲げる構成とした。
本発明の金型連係システムは、金型の金型情報を管理する金型連係システムであって、前記金型情報と前記金型の固定資産としての情報を示す固定資産情報とを連係させた金型連係情報を登録する金型連係情報記憶手段と、該金型連係情報記憶手段への新たな前記金型連係情報の登録、前記金型連係情報記憶手段に登録されている前記金型連係情報の一部又は全ての修正、および前記金型連係情報記憶手段に登録されている前記金型連係情報の一部又は全ての抹消に伴う固定資産の変化を固定資産マスターに反映させる固定資産マスターメンテナンス処理手段を具備することを特徴とする。
また、前記金型連係情報記憶手段に登録されている前記金型連係情報の前記金型情報には、前記金型によって製造される部品が用いられている補修部品を示す口座番号および該口座を構成する部品の１又は複数の金型管理番号が含まれており、前記金型連係情報記憶手段を前記口座番号で検索し、前記口座番号で関連づけられる前記金型連係情報を掲載した金型関連リストを作成する金型連係情報管理手段を具備するようにすることもできる。
また、前記金型連係情報管理手段は、前記補修部品の需要予測情報が管理されている需要予測データベースと接続されており、前記金型関連リストに掲載される前記金型連係情報に含まれている全ての口座番号で示される前記補修部品の需要予測を前記需要予測データベースから取得させ、取得された需要予測を前記金型関連リストに掲載させるようにすることもできる。
本発明の金型連係方法は、金型の金型情報を管理する金型連係方法であって、前記金型情報と前記金型の固定資産としての情報を示す固定資産情報とを連係した金型連係情報を登録し、新たな前記金型連係情報の登録、登録している前記金型連係情報の一部又は全ての修正、および登録している前記金型連係情報の一部又は全ての抹消に伴う固定資産の変化を固定資産マスターに反映することを特徴とする。
また、登録している前記金型連係情報の前記金型情報は、前記金型によって製造される部品が用いられている補修部品を示す口座番号および該口座を構成する部品の１又は複数の金型管理番号を含み、登録している前記金型連係情報を前記口座番号で検索し、前記口座番号で関連づけられる前記金型連係情報を掲載した金型関連リストを作成するようにすることもできる。
また、前記補修部品の需要予測情報が管理されている需要予測データベースと接続しておき、該需要予測データベースから前記金型関連リストに掲載される前記金型連係情報に含まれている全ての口座番号で示される前記補修部品の需要予測を前記需要予測データベースから取得し、取得した需要予測を前記金型関連リストに掲載するようにすることもできる。
【０００８】
このような構成によって本発明は、金型廃却時に金型情報と固定資産情報とを照合する必要がなく、金型廃却作業をミス無く簡便に行うことができるという効果を奏する。さらに、本発明は、廃却が要求されている金型の廃却の要否の検討が正確に行えると共に、廃却が要求されている金型と同時に廃却すべき金型を特定することができ、金型の廃却作業の効率化が図れるという効果を奏する。
【０００９】
【発明の実施の形態】
以下、本発明の実施の形態を図面に基づいて詳細に説明する。
【００１０】
図１は、本発明に係る金型連係システムの実施の形態の構成を示すブロック図である。
【００１１】
本実施の形態の金型連係システムは、金型連係データベース１と、補修部品部門に設置されている管理者端末２と、金型が委託される旧型補修部品加工専門メーカである取引先に設置されている取引先端末３と、固定資産マスター５と、需要予測データベース６とから構成され、金型連係データベース１、管理者端末２および取引先端末３とは、インターネットやＬＡＮ等のネットワーク４で接続されている。
【００１２】
金型連係データベース１は、図１を参照すると、金型連係情報が登録される金型連係情報記憶部１１と、金型連係情報記憶部１１に登録されている金型連係情報を管理する金型連係情報管理部１２と、金型連係情報の登録、修正および削除による固定資産情報の変化を固定資産マスター５に反映させる固定資産マスターメンテナンス処理部１３からなり、金型連係情報管理部１２と需要予測データベース６とが接続され、固定資産マスターメンテナンス処理部１３と固定資産マスター５とが接続された構成となっている。
【００１３】
金型連係情報記憶部１１に登録される金型連係情報は、金型情報と固定資産情報とが連係された情報であり、金型情報は、管理番号の内一部の識別番号をキー項目とし、部品番号、口座番号、保管メーカおよび状況区分を少なくとも含む情報であり、固定資産情報は、固定資産番号をキー項目とし、固定資産税の納付に必要な情報を少なくとも含む情報である。なお、部品番号は、その金型を用いて製造される部品の番号であり、口座番号は、その金型を用いて製造された部品が用いられている補修部品（補修部品リストに載せられている部品）の番号である。従って、金型情報には、その金型を用いて製造された部品が複数の補修部品に用いられている場合には、複数の口座番号が登録される。
【００１４】
金型連係情報管理部１２は、金型連係情報記憶部１１への新たな金型連係情報の登録、金型連係情報記憶部１１に登録されている金型連係情報の一部又は全ての修正、および金型連係情報記憶部１１に登録されている金型連係情報の一部又は全ての抹消を実行すると共に、金型廃却確認処理を行って廃却金型関連リストを作成する。
【００１５】
固定資産マスターメンテナンス処理部１３は、金型連係情報記憶部１１への新たな金型連係情報の登録、金型連係情報記憶部１１に登録されている金型連係情報の一部又は全ての修正、および金型連係情報記憶部１１に登録されている金型連係情報の一部又は全ての抹消に伴う固定資産の変化を固定資産マスター５に反映させる。
【００１６】
固定資産マスター５は、金型を含む固定資産が管理されているデータベースであり、需要予測データベース６は、各補修部品の需要予測情報が管理されているデータベースである。
【００１７】
次に、本実施の形態の動作について図２乃至図４を参照して詳細に説明する。
図２は、本発明に係る金型連係システムの実施の形態の通常廃却処理動作を示すジョブフローであり、図３は、図２に示す金型廃却確認処理動作を示すフローチャートであり、図４は、本発明に係る金型連係システムの実施の形態の年限廃却処理動作を示すジョブフローである。
【００１８】
まず金型連係情報の登録作業について説明する。
金型を旧型補修部品加工専門メーカに委託する際には、管理者端末２から金型連係データベース１に金型連係情報の登録を要求する。金型連係情報管理部１２は、金型連係情報を登録する画面として金型情報登録画面および固定資産情報登録画面を用意しており、管理者端末２からの登録要求に応じて金型情報登録画面および固定資産情報登録画面を管理者端末２に送信し、管理者端末２において金型情報登録画面および固定資産情報登録画面に基づいて金型情報および固定資産情報を入力する。入力された金型情報および固定資産情報は、金型連係情報管理部１２によって金型連係情報として金型連係情報記憶部１１に登録される。
【００１９】
次に金型情報と固定資産情報の通常廃却作業について説明する。
通常廃却とは、取引先からの廃却要求によって個別の金型を廃却するもので、不定期に行われる作業であり、図２を参照すると、まず、取引先端末３において金型の廃却を要求する金型廃却検討書が作成され（ステップＡ１）、作成された金型廃却検討書が取引先端末３から管理者端末２に送信される（ステップＡ２）。なお、金型廃却検討書では、廃却を要求する金型の管理番号が特定されている。
【００２０】
補修部品部門では、送られてきた金型廃却検討書を参照して、管理番号を含む金型廃却確認指示を管理者端末２から金型連係データベース１に送信する金型廃却確認指示処理を行う（ステップＡ３）。
【００２１】
管理番号を含む金型廃却確認指示を受信した金型連係情報管理部１２は、金型廃却確認処理を行い（ステップＡ４）、廃却金型関連リストを作成し（ステップＡ５）、作成した廃却金型関連リストを管理者端末２に送信する（ステップＡ６）。
【００２２】
金型廃却確認処理は、図３を参照すると、金型連係情報管理部１２が金型廃却確認指示を受信することによって開始される（ステップＢ１）。金型連係情報管理部１２は、金型廃却確認指示に含まれる管理番号で特定される金型連係情報に登録されている口座番号で金型連係情報記憶部１１を検索し（ステップＢ２）、検索された金型連係情報を抽出する。次に金型廃却確認指示に含まれる管理番号で特定される金型連係情報に登録されている口座番号と、検索された金型連係情報に登録されている口座番号との需要予測を需要予測データベース６から取得し（ステップＢ３）、検索された金型連係情報と取得した需要予測とが掲載された廃却金型関連リストを作成する（ステップＢ４）。
【００２３】
廃却金型関連リストには、金型廃却検討書で廃却が要求されている金型で製造される部品が用いられている補修部品（以下、廃却対象補修部品と称す）およびその需要予測と、廃却対象補修部品に用いられている他の部品を製造する金型と、当該金型で製造される部品が用いられている補修部品（廃却対象補修部品以外）およびその需要予測とが含まれる。従って、金型廃却検討書で廃却が要求されている金型の廃却の要否の検討が正確に行えると共に、金型廃却検討書で廃却が要求されている金型と同時に廃却すべき金型を特定することができる。
【００２４】
補修部品部門では、送られてきた廃却金型関連リストを参照して、金型廃却検討書で廃却が要求されている金型と、廃却金型関連リストに載っている金型との廃却の要否を決定し、廃却を決定した金型の廃却指示処理が行われる（ステップＡ７）。金型廃却指示処理としては、廃却する金型を決定し、該当する金型の廃却指示を管理者端末２から取引先端末３に送信すると共に、管理者端末２によって廃却を指示する金型に対応する金型連係情報の状況区分に廃却指示を示す「Ｙ」をセットする。
【００２５】
取引先では、廃却指示によって該当する金型の廃却を行う廃却処理を行い（ステップＡ８）、廃却処理結果を取引先端末３から管理者端末２に送信する。
【００２６】
補修部品部門では、廃却処理結果を参照して、金型廃却承認処理が行われる（ステップＡ９）。金型廃却承認処理としては、管理者端末２によって廃却された金型に対応する金型連係情報の状況区分に廃却を示す「Ｚ」をセットする。
【００２７】
次に、固定資産マスターメンテナンス処理部１３は、状況区分に「Ｚ」がセットされている金型連係情報を抽出し、金型の廃却を固定資産マスター５に反映させる固定資産マスター反映処理を行い（ステップＡ１０）、金型の廃却に伴う固定資産の抹消を行う。なお、一部の金型の廃却においては、廃却金型固定資産のみ除いた固定資産に減ずる修正を行う。
【００２８】
次に、金型情報と固定資産情報の年限廃却作業について説明する。
年限廃却作業とは、耐用年数等で選択された金型の廃却を定期的に検討して廃却する作業であり、図４を参照すると、まず、金型連係データベース１で金型廃却データ作成処理が実行され（ステップＣ１）、廃却対象データが作成される（ステップＣ２）と共に、作成された廃却対象データが廃却対象リストとして管理者端末２に送信される（ステップＣ３）。金型廃却データ作成処理は、金型連係データベース１が金型廃却データ作成指示と共に廃却対象とする金型の条件を受信することによって開始され、金型連係情報管理部１２は、廃却対象とする金型の条件に基づいて共に金型連係情報記憶部１１を検索し、廃却対象とする金型の条件を満たす金型を抽出することによって廃却対象データが作成される。
【００２９】
廃却対象リストは、補修部品部門で確認された後（ステップＣ４）、取引先端末３に送信される（ステップＣ５）。また、金型連係情報管理部１２によって作成された廃却対象データを金型連係情報記憶部１１に反映させる反映処理が行われ（ステップＣ６）、廃却対象リストに載っている金型に対応する金型連係情報の状況区分が廃却指示待ちを示す「Ｘ」に書き換えられる。
【００３０】
取引先では、送られてきた廃却対象リストの載っている金型の廃却の要否を判断する判断処理が行われる（ステップＣ７）。判断処理としては、廃却対象リストへの廃却要否の入力が行われ、廃却要否が入力された廃却対象リストは、取引先端末３から管理者端末２に送信される（ステップＣ８）。
【００３１】
補修部品部門では、廃却要否が入力された廃却対象リストを参照して、金型廃却指示処理が行われる（ステップＣ９）。金型廃却指示処理としては、廃却する金型を決定し、該当する金型の廃却指示を管理者端末２から取引先端末３に送信すると共に、管理者端末２によって廃却を指示する金型に対応する金型連係情報の状況区分に廃却指示を示す「Ｙ」をセットする。
【００３２】
取引先では、廃却指示によって該当する金型の廃却を行う廃却処理を行い（ステップＣ１０）、廃却処理結果を取引先端末３から管理者端末２に送信する。
【００３３】
補修部品部門では、廃却処理結果を参照して、金型廃却承認処理が行われる（ステップＣ１１）。金型廃却承認処理としては、管理者端末２によって廃却された金型に対応する金型連係情報の状況区分に廃却を示す「Ｚ」をセットする。
【００３４】
次に、固定資産マスターメンテナンス処理部１３は、状況区分に「Ｚ」がセットされている金型連係情報を抽出し、金型の廃却を固定資産マスター５に反映させる固定資産マスター反映処理を行い（ステップＣ１２）、金型の廃却に伴う固定資産の抹消を行う。なお、一部の金型の廃却においては、廃却金型固定資産のみ除いた固定資産に減ずる修正を行う。
【００３５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００３６】
【発明の効果】
本発明の金型連係システムおよび金型連係方法は、金型情報と固定資産情報とが連係された金型連係情報を金型連係情報記憶部１１に登録し、金型連係情報によって委託した金型を管理するように構成することにより、金型廃却時に金型情報と固定資産情報とを照合する必要がなく、金型廃却作業をミス無く簡便に行うことができるという効果を奏する。
【００３７】
さらに、本発明の金型連係システムおよび金型連係方法は、金型廃却確認指示によって廃却を要求された金型に関連する情報が記載された廃却金型関連リストが出力されるように構成することにより、廃却が要求されている金型の廃却の要否の検討が正確に行えると共に、廃却が要求されている金型と同時に廃却すべき金型を特定することができ、金型の廃却作業の効率化が図れるという効果を奏する。
【図面の簡単な説明】
【図１】本発明に係る金型連係システムの実施の形態の構成を示すブロック図である。
【図２】本発明に係る金型連係システムの実施の形態の通常廃却処理動作を示すジョブフローである。
【図３】図２に示す金型廃却確認処理動作を示すフローチャートである。
【図４】本発明に係る金型連係システムの実施の形態の年限廃却処理動作を示すジョブフローである。
【符号の説明】
１  金型連係データベース
２  管理者端末
３  取引先端末
４  ネットワーク
５  固定資産マスター
６  需要予測データベース
１１  金型連係情報記憶部
１２  金型連係情報管理部
１３  固定資産マスターメンテナンス処理部
【図１】
2004213135.tif 000003
【図２】
2004213135.tif 000004
【図３】
2004213135.tif 000005
【図４】
2004213135.tif 000006